(57)【要約】【課題】本発明は、外部入力端子に接続された外部機器が取り替えられても、接続されている外部機器に応じた適切な画質パラメータを自動的に設定することができ、外部入力端子に接続された外部機器が取り替えられる毎に、画質の調整、すなわち画質パラメータの設定を行う必要がない映像表示装置を提供することを課題とする。【解決手段】外部機器特定部２１によって、外部入力端子２から入力される映像信号Ｖに基づいて、外部入力端子２に接続されている外部機器３を特定し、マイコン２５は、特定した外部機器３に応じて、画質調整用の画質パラメータを設定する。また、外部機器特定部２１は、映像信号Ｖにおける同期信号および／又は同期信号の前後の波形（振幅や幅、フロントポーチやバックポーチの幅）を測定することで、外部機器３を特定する。【選択図】        図１
2008263403.tif 000002
【特許請求の範囲】
【請求項１】
外部入力端子に接続された外部機器からの映像信号を表示する映像表示装置であって、
前記外部入力端子から入力される前記映像信号に基づいて前記外部機器を特定する外部機器特定手段と、
該外部機器特定手段によって特定された前記外部機器に応じて、画質調整用の画質パラメータを設定する画質パラメータ設定手段とを具備することを特徴とする映像表示装置。
【請求項２】
前記外部機器特定手段は、前記映像信号における同期信号および／又は同期信号の前後の波形を測定することで、前記外部機器を特定することを特徴とする請求項１記載の映像表示装置。
【請求項３】
前記画質パラメータ設定手段は、前記外部機器特定手段によって、以前に接続されたことのある前記外部機器であると特定された場合には、以前に接続された際に使用された前記画質パラメータを設定することを特徴とする請求項１又は２記載の映像表示装置。
【請求項４】
前記映像信号に基づく輝度信号および色差信号のそれぞれの出力レベルにおける最大値および最小値を監視し、前記最大値に基づいて前記輝度信号および前記色差信号のゲイン調整を行うと共に、前記最小値に基づいて前記輝度信号および前記色差信号のオフセット調整を行うレベル調整手段を具備することを特徴とする請求項１乃至３のいずれかに記載の映像表示装置。
【発明の詳細な説明】
【技術分野】
【０００１】
本発明は、映像を表示する映像表示装置に関し、特に外部入力端子に接続された外部機器からの映像信号を表示する映像表示装置に関する。
【背景技術】
【０００２】
映像を表示する映像表示装置であるテレビジョン装置は、内蔵チューナによって放送波を受信して表示するという基本機能に加えて、外部入力端子に接続された外部機器からの映像信号を表示する機能をも有している。
【０００３】
外部入力端子に接続される外部機器としては、ハードディスクレコーダ、ＤＶＤプレイヤ、ゲーム機、ビデオカメラ等の様々な製品が対象となり、外部機器からの入力信号がアナログ信号である場合には、外部入力端子に接続される外部機器の製品カテゴリや、場合によっては外部機器自体の個体差に起因して輝度信号や色差信号の出力レベルに差異が生じることがあると共に、外部機器がゲーム機である場合には、眼精疲労に繋がる目の疲労感を考慮する必要があるため一定の照明環境の下での視聴が望ましいことや、外部機器がＤＶＤプレイヤ等ある場合には、映画を視聴する際に暗室での視聴が想定されることから、
快適な試聴環境を実現するためには、出力レベルや明るさ等の画質の調整を行う必要がある。
【０００４】
出力レベルや明るさ等の画質の調整、すなわち画質パラメータの設定は、試聴中にユーザによって行われるのが一般的であり、入力チャンネルを切り換える毎に画質パラメータの設定を変更しなければならず、煩雑である。そこで、放送局および外部入力端子毎に設定された画質パラメータを記憶しておき、入力チャンネルを切り換えても、画質パラメータの設定を再度行う必要がないようにする映像表示装置が提案されている（例えば、特許文献１参照）。
【０００５】
しかしながら、映像表示装置であるテレビジョン装置の多くはフロント部やサイド部に複数の外部機器を自由に取り替えて接続することを想定した外部入力端子を有しており、このような外部入力端子に対して、従来技術のように画質パラメータを記憶しておいても、外部機器が取り替えられる毎に、画質の調整、すなわち画質パラメータの設定を行う必要があり、外部機器が取り替えられると設定した画質パラメータの再利用を行うことができないという問題点があった。
【特許文献１】特開平９−３７１７４号公報
【発明の開示】
【発明が解決しようとする課題】
【０００６】
本発明は斯かる問題点に鑑みてなされたものであり、その目的とするところは、外部入力端子に接続された外部機器が取り替えられても、接続されている外部機器に応じた適切な画質パラメータを自動的に設定することができ、外部入力端子に接続された外部機器が取り替えられる毎に、画質の調整、すなわち画質パラメータの設定を行う必要がない映像表示装置を提供する点にある。
【課題を解決するための手段】
【０００７】
本発明は上記課題を解決すべく、以下に掲げる構成とした。
本発明の映像表示装置は、外部入力端子に接続された外部機器からの映像信号を表示する映像表示装置であって、前記外部入力端子から入力される前記映像信号に基づいて前記外部機器を特定する外部機器特定手段と、該外部機器特定手段によって特定された前記外部機器に応じて、画質調整用の画質パラメータを設定する画質パラメータ設定手段とを具備することを特徴とする。
【０００８】
さらに、本発明の映像表示装置は、前記外部機器特定手段は、前記映像信号における同期信号および／又は同期信号の前後の波形を測定することで、前記外部機器を特定することを特徴とする。
【０００９】
さらに、本発明の映像表示装置は、前記画質パラメータ設定手段は、前記外部機器特定手段によって、以前に接続されたことのある前記外部機器であると特定された場合には、以前に接続された際に使用された前記画質パラメータを設定することを特徴とする。
【００１０】
さらに、本発明の映像表示装置は、前記映像信号に基づく輝度信号および色差信号のそれぞれの出力レベルにおける最大値および最小値を監視し、前記最大値に基づいて前記輝度信号および前記色差信号のゲイン調整を行うと共に、前記最小値に基づいて前記輝度信号および前記色差信号のオフセット調整を行うレベル調整手段を具備することを特徴とする。
【発明の効果】
【００１１】
本発明の映像表示装置は、外部入力端子から入力される映像信号に基づいて、外部入力端子に接続されている外部機器を特定し、特定した外部機器に応じて、画質調整用の画質パラメータを設定するように構成することにより、外部入力端子に接続されている外部機器に対応した画質パラメータを設定することができるため、外部入力端子に接続された外部機器が取り替えられても、接続されている外部機器に応じた適切な画質パラメータを自動的に設定することができ、外部入力端子に接続された外部機器が取り替えられる毎に、画質の調整、すなわち画質パラメータの設定を行う必要がないという効果を奏する。
【００１２】
さらに、本発明の映像表示装置は、映像信号における同期信号および／又は同期信号の前後の波形を測定することで、外部機器を特定するように構成することにより、映像信号がアナログ信号であっても外部機器を特定することができるという効果を奏する。
【００１３】
さらに、本発明の映像表示装置は、以前に接続されたことのある外部機器であると特定した場合には、以前に接続された際に使用された画質パラメータを設定するように構成することにより、外部入力端子に接続される外部機器の変化に応じて、ユーザが好みによって調整した画質パラメータを自動的に設定することができるという効果を奏する。
【００１４】
さらに、本発明の映像表示装置は、映像信号に基づく輝度信号および色差信号のそれぞれの出力レベルにおける最大値および最小値を監視し、最大値に基づいて輝度信号および色差信号のゲイン調整を行うと共に、最小値に基づいて輝度信号および色差信号のオフセット調整を行うように構成することにより、外部機器毎に異なる信号の特性に応じて自動調整が可能なため、ユーザの負担を軽減できるという効果を奏する。
【発明を実施するための最良の形態】
【００１５】
以下、本発明の実施の形態を図面に基づいて詳細に説明する。
【００１６】
図１は、本発明に係る映像表示装置の実施の形態の構成を示すブロック図であり、図２は、図１に示す外部機器特定部が判定に用いる波形を示す図であり、図３は、図１に示す外部機器特定部に記憶される波形情報例を示す図であり、図４は、図１に示すレベル調整部の構成を示すブロック図であり、図５は、図１に示す設定記憶部に記憶される画質パラメータ設定情報例を示す図である。
【００１７】
本実施の形態の映像表示装置は、テレビジョン装置１であり、図１を参照すると、アンテナ１１で受信された放送波信号を選択して中間周波信号を生成するチューナ１２と、中間周波信号を増幅すると共に検波することで映像信号Ｖと音声信号Ｓとを取り出して出力する中間周波処理部１３と、中間周波処理部１３から入力された映像信号Ｖおよび音声信号Ｓ、もしくは外部入力端子２に接続された外部機器３から外部入力された映像信号Ｖおよび音声信号Ｓを選択するＡＶセレクタ１４と、ＡＶセレクタ１４で選択された音声信号Ｓを増幅してスピーカ１５から出力する音声アンプ１６と、ＡＶセレクタ１４で選択された映像信号Ｖを輝度信号Ｙと色信号Ｃとに分離するＹ／Ｃ分離部１７と、色信号Ｃから色差信号ＵＶを復調し、輝度信号Ｙと色差信号ＵＶとを出力するクロマデコーダ１８と、表示手段であるＬＣＤ（液晶ディスプレイ）１９と、輝度信号Ｙと色差信号ＵＶとをＲＧＢ信号に変換し、ＬＣＤ１９に表示させるＲＧＢプロセッサ２０と、外部入力端子２に接続されている外部機器３を特定する外部機器特定部２１と、クロマデコーダ１８から出力される輝度信号Ｙと色差信号ＵＶとのレベルを調整するレベル調整部２２と、外部入力端子２に接続される外部機器３毎に設定された画質パラメータを記憶する設定記憶部２３と、テレビジョン装置１の操作部として機能するリモコン装置４から出力された赤外線変調信号等に変換されたコマンド信号を受信する受信部２４と、テレビジョン装置１の各種動作を制御するシステムコントローラであるマイコン２５とを備えている。
【００１８】
リモコン装置４は、複数のキー群（テンキー、十字キー等）で構成された各種操作ボタン４１が設けられており、操作ボタン４１が操作されると、対応するコマンド信号が赤外線変調信号として出力される。
【００１９】
外部機器特定部２１は、外部入力端子２から入力される映像信号Ｖに基づいて、外部入力端子２に接続された外部機器３の特定を行い、特定結果をレベル調整部２２およびマイコン２５に通知する。外部入力端子２に接続された外部機器３の特定は、外部入力端子２から入力される映像信号Ｖがアナログ信号である場合には、外部機器３によってばらつく、図２に示すような同期信号および／又は同期信号の前後の波形（振幅や幅、フロントポーチやバックポーチの幅）に基づいて行われる。外部機器特定部２１は、外部入力端子２から入力される映像信号Ｖにおける同期信号および／又は同期信号の前後の波形（振幅や幅、フロントポーチやバックポーチの幅）を測定し、以前に接続された外部機器３の測定結果と対比することで、接続されている外部機器３が以前に接続されたことがない場合、すなわち以前に接続された外部機器３の測定結果のいずれにも一致しない場合には、図３に示すように、初めて接続された外部機器３に固有ＩＤを付与して測定結果を波形情報として記憶する。また、接続されている外部機器３が以前に接続されたことがある場合、すなわち以前に接続された外部機器３の測定結果のいずれかと一致する場合には、接続された外部機器３を特定するための固有ＩＤを特定結果としてレベル調整部２２およびマイコン２５に通知する。なお、外部入力端子２に接続される外部機器３によって様々な態様が考えられるが、家庭用や個人用であれば特定する対象となる外部機器３の数も比較的少ないため、同期信号および／又は同期信号の前後の波形（振幅や幅、フロントポーチやバックポーチの幅）に基づいて、外部機器３の特定を容易に行うことができる。
【００２０】
レベル調整部２２は、図４を参照すると、クロマデコーダ１８から出力される輝度信号Ｙのゲインを調整するアンプ３０ａと、クロマデコーダ１８から出力される輝度信号Ｙのオフセットを調整するクランプ回路３１ａと、アンプ３０ａからの出力をデジタル信号に変換するＡ／Ｄ変換部３２ａと、クロマデコーダ１８から出力される色差信号ＵＶのゲインを調整するアンプ３０ｂと、クロマデコーダ１８から出力される色差信号ＵＶのオフセットを調整するクランプ回路３１ｂと、アンプ３０ｂからの出力をデジタル信号に変換するＡ／Ｄ変換部３２ｂとを備えていると共に、Ａ／Ｄ変換部３２ａによってデジタル信号に変換された輝度信号Ｙの出力レベルの最大値および最小値と、Ａ／Ｄ変換部３２ｂによってデジタル信号に変換された色差信号ＵＶの出力レベルの最大値および最小値とが蓄積されるメモリ３３と、輝度信号最大値メモリ３４ａと、輝度信号最小値メモリ３５ａと、色差信号最大値メモリ３４ｂと、色差信号最小値メモリ３５ｂとを備えている。
【００２１】
輝度信号最大値メモリ３４ａには、メモリ３３に蓄積された輝度信号Ｙの出力レベルの最大値がある一定の期間において１００ｉｒｅよりも大きい場合に、当該最大値が記憶される。輝度信号最大値メモリ３４ａに記憶された最大値は、アンプ３０ａにフィードバックされ、アンプ３０ａによって、輝度信号最大値メモリ３４ａに記憶された最大値が１００ｉｒｅになるように輝度信号Ｙに対してゲイン調整が行われる。なお、輝度信号最大値メモリ３４ａにおいて、輝度信号Ｙの出力レベルの最大値は、外部機器特定部２１によって特定された外部機器３毎に記憶され、外部機器特定部２１によって外部機器３が特定されると、特定された外部機器３に対応する最大値に更新される。
【００２２】
輝度信号最小値メモリ３５ａには、メモリ３３に蓄積された輝度信号Ｙの出力レベルの最小値がある一定の期間において０ｉｒｅよりも小さい場合に、当該最小値が記憶される。輝度信号最小値メモリ３５ａに記憶された最小値は、クランプ回路３１ａにフィードバックされ、クランプ回路３１ａによって、輝度信号最小値メモリ３５ａに記憶された最小値が０ｉｒｅになるように輝度信号Ｙに対してオフセット調整が行われる。なお、輝度信号最小値メモリ３５ａにおいて、輝度信号Ｙの出力レベルの最小値は、外部機器特定部２１によって特定された外部機器３毎に記憶され、外部機器特定部２１によって外部機器３が特定されると、特定された外部機器３に対応する最小値に更新される。
【００２３】
色差信号最大値メモリ３４ｂには、メモリ３３に蓄積された色差信号ＵＶの出力レベルの最大値がある一定の期間において１００ｉｒｅよりも大きい場合に、当該最大値が記憶される。色差信号最大値メモリ３４ｂに記憶された最大値は、アンプ３０ｂにフィードバックされ、アンプ３０ｂによって、色差信号最大値メモリ３４ｂに記憶された最大値が１００ｉｒｅになるように色差信号ＵＶに対してゲイン調整が行われる。なお、色差信号最大値メモリ３４ｂにおいて、色差信号ＵＶの出力レベルの最大値は、外部機器特定部２１によって特定された外部機器３毎に記憶され、外部機器特定部２１によって外部機器３が特定されると、特定された外部機器３に対応する最大値に更新される。
【００２４】
色差信号最小値メモリ３５ｂには、メモリ３３に蓄積された色差信号ＵＶの出力レベルの最小値がある一定の期間において０ｉｒｅよりも小さい場合に、当該最小値が記憶される。色差信号最小値メモリ３５ｂに記憶された最小値は、クランプ回路３１ｂにフィードバックされ、クランプ回路３１ｂによって、色差信号最小値メモリ３５ｂに記憶された最小値が０ｉｒｅになるように色差信号ＵＶに対してオフセット調整が行われる。なお、色差信号最小値メモリ３５ｂにおいて、色差信号ＵＶの出力レベルの最小値は、外部機器特定部２１によって特定された外部機器３毎に記憶され、外部機器特定部２１によって外部機器３が特定されると、特定された外部機器３に対応する最小値に更新される。
【００２５】
設定記憶部２３は、図５（ａ）に示すような、予め設定されているＡＶモード（ダイナミック、映画、ゲーム）と、図５（ｂ）に示すような、外部入力端子２に接続された外部機器３（レコーダＡ、ゲーム機Ｂ）に対し、ユーザが設定した画質パラメータとを記憶する記憶手段である。
【００２６】
次に、本実施の形態のレベル自動調整動作について図６を参照して詳細に説明する。
図６は、本発明に係る映像表示装置の実施の形態のレベル自動調整動作を説明するフローチャートである。
【００２７】
リモコン装置４の操作ボタン４１を操作することで、外部入力端子２から入力される映像信号Ｖの表示を指示すると、マイコン２５は、外部機器特定部２１に外部入力端子２に接続された外部機器３の特定を指示すると共に、ＡＶセレクタ１４に外部入力端子２に接続された外部機器３から外部入力される映像信号Ｖおよび音声信号Ｓの選択を指示する。
【００２８】
外部機器特定部２１は、外部入力端子２から入力される映像信号Ｖの同期信号の振幅と幅、フロントポーチおよびバックポーチの幅を測定し（ステップＡ１）、以前に接続された外部機器３の測定結果のいずれかと比較することで、以前に接続されたことのある外部機器３か否かを特定する（ステップＡ２）。
【００２９】
ステップＡ１の測定結果と、以前に接続された外部機器３の測定結果のいずとも一致せず、ステップＡ２で以前に接続されたことのある外部機器３でないと特定された場合には、外部機器特定部２１は、外部入力端子２に接続されている外部機器３は、新たに接続された外部機器３であると特定し、新たな固有ＩＤを付与して測定結果を記憶すると共に（ステップＡ３）、新たな付与した固有ＩＤをレベル調整部２２に通知する。
【００３０】
新たに付与された固有ＩＤが通知されたレベル調整部２２は、メモリ３３を初期化すると共に、通知された固有ＩＤに対応する輝度信号Ｙおよび色差信号ＵＶのそれぞれの最大値および最小値が記憶されていないため、輝度信号最大値メモリ３４ａ、色差信号最大値メモリ３４ｂ、輝度信号最小値メモリ３５ａ、色差信号最小値メモリ３５ｂを初期化する（ステップＡ４）。
【００３１】
ステップＡ１の測定結果と、以前に接続された外部機器３の測定結果のいずれかが一致し、ステップＡ２で以前に接続されたことのある外部機器３であると特定された場合には、外部機器特定部２１は、特定された外部機器３の固有ＩＤをレベル調整部２２に通知する。
【００３２】
固有ＩＤが通知されたレベル調整部２２は、メモリ３３を初期化すると共に、通知された固有ＩＤに対応する輝度信号Ｙおよび色差信号ＵＶのそれぞれの最大値および最小値を特定し、特定した輝度信号Ｙおよび色差信号ＵＶのそれぞれの最大値および最小値に輝度信号最大値メモリ３４ａ、色差信号最大値メモリ３４ｂ、輝度信号最小値メモリ３５ａ、色差信号最小値メモリ３５ｂを更新する（ステップＡ５）。
【００３３】
次に、メモリ３３に蓄積されるＡ／Ｄ変換部３２ａによってデジタル信号に変換された輝度信号Ｙの出力レベルの最大値および最小値が監視され（ステップＡ６）、メモリ３３に蓄積された輝度信号Ｙの出力レベルの最大値がある一定の期間において１００ｉｒｅよりも大きいことが検出されると（ステップＡ７）、輝度信号最大値メモリ３４ａに当該最大値が記憶されて、アンプ３０ａにフィードバックされ、アンプ３０ａによって、輝度信号最大値メモリ３４ａに記憶された最大値が１００ｉｒｅになるように輝度信号Ｙに対してゲイン調整が行われる（ステップＡ８）。また、メモリ３３に蓄積された輝度信号Ｙの出力レベルの最小値がある一定の期間において０ｉｒｅよりも小さいことが検出されると（ステップＡ９）、輝度信号最小値メモリ３５ａに当該最小値が記憶されて、クランプ回路３１ａにフィードバックされ、クランプ回路３１ａによって、輝度信号最小値メモリ３５ａに記憶された最小値が０ｉｒｅになるように輝度信号Ｙに対してオフセット調整が行われる（ステップＡ１０）。
【００３４】
同様に、メモリ３３に蓄積されるＡ／Ｄ変換部３２ｂによってデジタル信号に変換された色差信号ＵＶの出力レベルの最大値および最小値が監視され（ステップＡ６）、メモリ３３に蓄積された色差信号ＵＶの出力レベルの最大値がある一定の期間において１００ｉｒｅよりも大きいことが検出されると（ステップＡ７）、色差信号最大値メモリ３４ｂに当該最大値が記憶されて、アンプ３０ｂにフィードバックされ、アンプ３０ｂによって、色差信号最大値メモリ３４ｂに記憶された最大値が１００ｉｒｅになるように色差信号ＵＶに対してゲイン調整が行われる（ステップＡ８）。また、メモリ３３に蓄積された色差信号ＵＶの出力レベルの最小値がある一定の期間において０ｉｒｅよりも小さいことが検出されると（ステップＡ９）、色差信号最小値メモリ３５ｂに当該最小値が記憶されて、クランプ回路３１ｂにフィードバックされ、クランプ回路３１ｂによって、色差信号最小値メモリ３５ｂに記憶された最小値が０ｉｒｅになるように色差信号ＵＶに対してオフセット調整が行われる。
【００３５】
次に、本実施の形態の画質パラメータ設定動作について図７を参照して詳細に説明する。
図７は、本発明に係る映像表示装置の実施の形態の画質パラメータ設定動作を説明するフローチャートである。
【００３６】
リモコン装置４の操作ボタン４１を操作することで、外部入力端子２から入力される映像信号Ｖの表示を指示すると、マイコン２５は、外部機器特定部２１に外部入力端子２に接続された外部機器３の特定を指示すると共に、ＡＶセレクタ１４に外部入力端子２に接続された外部機器３から外部入力される映像信号Ｖおよび音声信号Ｓの選択を指示し、さらに、前回、外部入力端子２から入力される映像信号Ｖの表示を行った際の画質パラメータに設定する。
【００３７】
外部機器特定部２１は、外部入力端子２から入力される映像信号Ｖの同期信号の振幅と幅、フロントポーチおよびバックポーチの幅を測定し、以前に接続された外部機器３の測定結果のいずれかと比較することで、外部機器３を特定し（ステップＢ１）、外部入力端子２に接続されている外部機器３が変更されたか否かを判断すると共に（ステップＢ２）、外部入力端子２に接続されている外部機器３が変更された場合には、以前に接続された外部機器３であるか否かを判断する（ステップＢ３）。なお、ＨＤＭＩやＩＥＥＥ１３９４等で外部機器３が接続されている場合には、通信により外部機器３を特定することができ、例えば、ＨＤＭＩでの接続であればＥＤＩＤにより機器間認証が行われ、外部機器３の特定が可能である。
【００３８】
ステップＢ２で外部機器３が変更されたと判断され、且つステップＢ３で以前に接続された外部機器３であると判断された場合には、外部機器特定部２１は、特定された外部機器３の固有ＩＤをマイコン２５に通知する。マイコン２５は、通知された固有ＩＤに対応する、すなわち外部入力端子２に接続されている外部機器３に対応する画質パラメータを設定記憶部２３から読み出し、設定されている画質パラメータを読み出した画質パラメータに変更し（ステップＢ４）、変更した画質パラメータを使用して外部入力端子２から入力される映像信号Ｖの表示を制御する。
【００３９】
ステップＢ２で外部機器３が変更されていないと判断された場合には、外部機器特定部２１は、外部機器３が変更されていないことをマイコン２５に通知し、マイコン２５は、設定されている現在の画質パラメータを使用して外部入力端子２から入力される映像信号Ｖの表示を制御する（ステップＢ５）。
【００４０】
ステップＢ３で以前に接続された外部機器３でないと判断された場合には、外部機器特定部２１は、新たな固有ＩＤを付与して、新たな固有ＩＤをマイコン２５に通知し、マイコン２５は、新たな固有ＩＤに対応する画質パラメータが設定記憶部２３に記憶されていないため、設定されている現在の画質パラメータを使用して外部入力端子２から入力される映像信号Ｖの表示を制御すると共に（ステップＢ５）、新たな固有ＩＤに対応させた設定されている現在の画質パラメータを設定記憶部２３に記憶させる。
【００４１】
なお、外部入力端子２から入力される映像信号Ｖの表示中に、ユーザによって画質パラメータの変更が行われた場合には、マイコン２５は、変更された画質パラメータを固有ＩＤ（外部入力端子２に接続されている外部機器３）に対応させて設定記憶部２３に記憶させる。これにより、外部入力端子２に接続されたことのある外部機器３において、ユーザが好みによって調整した画質パラメータが設定記憶部２３に記憶され、外部入力端子２に接続される外部機器３の変化に応じて、ユーザが好みによって調整した画質パラメータが自動的に設定されることになる。
【００４２】
また、特定した外部機器３に応じて、予め設定されているＡＶモードのいずれかを設定するようにしても良い。すなわち、外部機器３がゲーム機であると特定された場合にはゲームモード、外部機器３がＤＶＤプレイヤであると特定された場合には映画モードというように、自動的にＡＶモードを設定することにより、ユーザは、推奨の画質パラメータで視聴でき、画質パラメータの調整を行う必要がなくなり、ユーザの負担を軽減することが可能になる。さらに、ユーザが自動的に設定されたＡＶモードとは異なるＡＶモードに変更させたり、画質パラメータを変更させたりした場合には、上述の画質パラメータ設定動作によって、ユーザが好みによって、設定したＡＶモードや調整した画質パラメータが自動的に設定されるようにすると良い。
【００４３】
以上説明したように、本実施の形態によれば、外部機器特定部２１によって、外部入力端子２から入力される映像信号Ｖに基づいて、外部入力端子２に接続されている外部機器３を特定し、マイコン２５は、特定した外部機器３に応じて、画質調整用の画質パラメータを設定するように構成することにより、外部入力端子２に接続されている外部機器３に対応した画質パラメータを設定することができるため、外部入力端子２に接続された外部機器３が取り替えられても、接続されている外部機器３に応じた適切な画質パラメータを自動的に設定することができ、外部入力端子２に接続された外部機器３が取り替えられる毎に、画質の調整、すなわち画質パラメータの設定を行う必要がないという効果を奏する。
【００４４】
さらに、本実施の形態によれば、外部機器特定部２１は、映像信号Ｖにおける同期信号および／又は同期信号の前後の波形（振幅や幅、フロントポーチやバックポーチの幅）を測定することで、外部機器３を特定するように構成することにより、映像信号Ｖがアナログであっても外部機器３を特定することができるという効果を奏する。
【００４５】
さらに、本実施の形態によれば、外部機器特定部２１によって、以前に接続されたことのある外部機器３であると特定した場合には、マイコン２５は、以前に接続された際に使用された画質パラメータを設定するように構成することにより、外部入力端子に接続される外部機器の変化に応じて、ユーザが好みによって調整した画質パラメータを自動的に設定することができるという効果を奏する。
【００４６】
さらに、本実施の形態によれば、映像信号に基づく輝度信号および色差信号のそれぞれの出力レベルにおける最大値および最小値を監視し、最大値に基づいて輝度信号および色差信号のゲイン調整を行うと共に、最小値に基づいて輝度信号および色差信号のオフセット調整を行うレベル調整部２２を設けることにより、外部機器３毎に異なる信号の特性に応じて自動調整が可能なため、ユーザの負担を軽減できるという効果を奏する。
【００４７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４８】
【図１】本発明に係る映像表示装置の実施の形態の構成を示すブロック図である。
【図２】図１に示す外部機器特定部が判定に用いる波形を示す図である。
【図３】図１に示す外部機器特定部に記憶される波形情報例を示す図である。
【図４】図１に示すレベル調整部の構成を示すブロック図である。
【図５】図１に示す設定記憶部に記憶される画質パラメータ設定情報例を示す図である。
【図６】本発明に係る映像表示装置の実施の形態のレベル自動調整動作を説明するフローチャートである。
【図７】本発明に係る映像表示装置の実施の画質パラメータ設定動作を説明するフローチャートである。
【符号の説明】
【００４９】
１  テレビジョン装置
２  外部入力端子
３  外部機器
４  リモコン装置
１１  アンテナ
１２  チューナ
１３  中間周波処理部
１４  ＡＶセレクタ
１５  スピーカ
１６  音声アンプ
１７  Ｙ／Ｃ分離部
１８  クロマデコーダ
１９  ＬＣＤ（液晶ディスプレイ）
２０  ＲＧＢプロセッサ
２１  外部機器特定部
２２  レベル調整部
２３  設定記憶部
２４  受信部
２５  マイコン
３０ａ、３０ｂ  アンプ
３１ａ、３１ｂ  クランプ回路
３２ａ、３２ｂ  Ａ／Ｄ変換部
３３  メモリ
３４ａ  輝度信号最大値メモリ
３４ｂ  色差信号最大値メモリ
３５ａ  輝度信号最小値メモリ
３５ｂ  色差信号最小値メモリ
【図１】
2008263403.tif 000003
【図２】
2008263403.tif 000004
【図３】
2008263403.tif 000005
【図４】
2008263403.tif 000006
【図５】
2008263403.tif 000007
【図６】
2008263403.tif 000008
【図７】
2008263403.tif 000009